(57)【要約】【課題】点灯始動性を向上できる光源装置及びプロジェクターを提供すること。【解決手段】光源装置であって、光を放射する発光部、及び、当該発光部から延出する封止部を有する発光管と、発光管から放射された光を反射させる反射鏡（主反射鏡）６と、発光管に光を出射して、発光管の点灯始動を補助する補助光源８と、補助光源８を反射鏡６に取り付ける取付部材９とを備え、反射鏡６は、封止部が挿通され、当該封止部が固定される首状部６１を備え、取付部材９は、首状部６１の端部に取り付けられ、当該取付部材９は、補助光源８を保持する保持部９１と、封止部の端部の少なくとも一部を覆い、当該端部から出射される光を遮蔽する遮蔽部（第１遮蔽部及び第２遮蔽部）９２，９３とを有する。【選択図】図３
2010287417.tif 000002
【特許請求の範囲】
【請求項１】
光源装置であって、
光を放射する発光部、及び、前記発光部から延出する封止部を有する発光管と、
前記発光管から放射された光を反射させる反射鏡と、
前記発光管に光を出射して、前記発光管の点灯始動を補助する補助光源と、
前記補助光源を前記反射鏡に取り付ける取付部材とを備え、
前記反射鏡は、前記封止部が挿通され、当該封止部が固定される首状部を備え、
前記取付部材は、前記首状部の端部に取り付けられ、
当該取付部材は、
前記補助光源を保持する保持部と、
前記封止部の端部の少なくとも一部を覆い、当該端部から出射される光を遮蔽する遮蔽部とを有することを特徴とする光源装置。
【請求項２】
請求項１に記載の光源装置において、
前記補助光源は、略棒状形状を有し、
当該補助光源は、当該補助光源の軸方向に沿って設けられた一対の突起を有し、
前記取付部材は、前記一対の突起間に挿入され、前記補助光源を位置決めする位置決め部を有することを特徴とする光源装置。
【請求項３】
請求項２に記載の光源装置において、
前記発光管は、前記封止部の端部から当該封止部外に延出するリード線を有し、
前記取付部材は、前記リード線と電気的に接続される接続部を有し、
前記補助光源は、当該補助光源の端部から外部に延出する電極線を有し、
前記一対の突起は、前記補助光源の端部から離間した位置に配置されていることを特徴とする光源装置。
【請求項４】
請求項２又は請求項３に記載の光源装置において、
前記取付部材は、前記位置決め部により位置決めされた前記補助光源を当該位置決め部に向かって付勢する付勢部を有することを特徴とする光源装置。
【請求項５】
請求項１から請求項３のいずれかに記載の光源装置において、
前記取付部材は、
前記保持部及び前記遮蔽部を有し、前記首状部に取り付けられる第１取付部材と、
前記保持部により保持された前記補助光源を囲む保護部を有し、前記第１取付部材に着脱自在に設けられる第２取付部材とを備え、
前記補助光源は、前記第１取付部材と前記第２取付部材との間に配置され、
前記第１取付部材は、前記補助光源から出射され、前記発光管に入射される光が透過する開口部を有することを特徴とする光源装置。
【請求項６】
請求項１から請求項５のいずれかに記載の光源装置において、
前記取付部材と前記首状部との間には、当該取付部材を前記首状部に固定する接着剤が設けられ、
前記取付部材は、前記接着剤に挿入される凸部を有することを特徴とする光源装置。
【請求項７】
請求項１から請求項６のいずれかに記載の光源装置と、当該光源装置から出射された光束を変調する光変調装置と、変調された前記光束を投射する投射光学装置とを備えることを特徴とするプロジェクター。
【発明の詳細な説明】
【技術分野】
【０００１】
本発明は、光源装置及びプロジェクターに関する。
【背景技術】
【０００２】
従来、光源装置と、当該光源装置から出射された光束を変調して画像情報に応じた画像光を形成する光変調装置と、当該画像光をスクリーン等の投射面上に拡大投射する投射光学装置とを備えたプロジェクターが知られている。
このようなプロジェクターに採用される光源装置として、超高圧水銀ランプ等の放電発光型の光源ランプと、当該光源ランプから出射された光を反射する反射鏡（リフレクター）とを備えた光源装置が挙げられる。
【０００３】
このような光源ランプは、例えば、光を放射する発光部と、当該発光部の両端から互いに離間する方向に延出する一対の封止部とを有する発光管を備える。このうち、発光部の内部には、一対の電極と、アルゴン及びキセノン等の希ガス並びにハロゲンを含む発光物質とが封入された放電空間が形成される。これら各電極には、各封止部内に配置されたモリブデン箔を介してリード線がそれぞれ接続され、当該各リード線は各封止部外に延出する。そして、光源ランプは、各リード線を介して各電極に所定の電圧を印加すると、電極間の絶縁破壊の後、放電空間内に放電（グロー放電及びアーク放電）が生じ、発光物質が反応して発光する構成となっている。
【０００４】
このような光源ランプの点灯始動性の改善のために、補助光源を設けた光源装置が知られている（例えば、特許文献１参照）。
この特許文献１に記載の光源装置は、補助光源（補助放電容器）から短波長の光を光源ランプ（放電ランプ）に照射することで、当該光源ランプ内での物質の光電子放出及び放電物質のイオン化を促進し、始動時（電極間の絶縁破壊時）に電極に印加する高電圧の絶対値を下げるという技術を用いたものである。この光源装置では、補助光源を反射鏡内に設けたり、或いは、反射鏡外に突出した放電ランプの部位に応じた位置に設けたりすることで、当該補助光源からの光を放電ランプに照射している。
【先行技術文献】
【特許文献】
【０００５】
【特許文献１】特開２００４−１３９９５５号公報
【発明の概要】
【発明が解決しようとする課題】
【０００６】
ここで、発光管の点灯始動性を一層向上させるために、補助光源の光を適切に発光部に入射させることが求められる。しかしながら、特許文献１に記載の光源装置では、補助光源の光を、発光部に入射させづらいという問題がある。このため、より適切に補助光源の光を発光部に入射させることができる構成が望まれてきた。
【０００７】
本発明の目的は、点灯始動性を向上することができる光源装置及びプロジェクターを提供することである。
【課題を解決するための手段】
【０００８】
前記した目的を達成するために、本発明の光源装置は、光源装置であって、光を放射する発光部、及び、前記発光部から延出する封止部を有する発光管と、前記発光管から放射された光を反射させる反射鏡と、前記発光管に光を出射して、前記発光管の点灯始動を補助する補助光源と、前記補助光源を前記反射鏡に取り付ける取付部材とを備え、前記反射鏡は、前記封止部が挿通され、当該封止部が固定される首状部を備え、前記取付部材は、前記首状部の端部に取り付けられ、当該取付部材は、前記補助光源を保持する保持部と、前記封止部の端部の少なくとも一部を覆い、当該端部から出射される光を遮蔽する遮蔽部とを有することを特徴とする。
【０００９】
本発明によれば、補助光源は、首状部の端部に取り付けられる取付部材の保持部により適切な位置に保持されるので、当該補助光源の光は、発光管の封止部に入射され、当該封止部内を進行して、発光部内に入射される。これによれば、当該補助光源から出射された光を、封止部により導光させて、発光部内に確実に入射させることができる。従って、発光管の点灯始動性を向上することができる。
なお、発光管の封止部は反射鏡の首状部を挿通する。このため、発光部から出射されて封止部内を進行した光が、当該封止部の端部を介して、外部に出射される可能性がある。これに対し、取付部材の遮蔽部が、当該端部の少なくとも一部を覆い、当該端部から出射される光を遮蔽するので、当該端部から出射される光を光源装置の外部に漏れにくくすることができる。従って、光源装置の光漏れを抑制することができる。
【００１０】
本発明では、前記補助光源は、略棒状形状を有し、当該補助光源は、当該補助光源の軸方向に沿って設けられた一対の突起を有し、前記取付部材は、前記一対の突起間に挿入され、前記補助光源を位置決めする位置決め部を有することが好ましい。
【００１１】
本発明によれば、補助光源に突設された一対の突起間に取付部材の位置決め部が挿入されることで、補助光源を適切な位置に位置決めすることができる。また、当該突起を平坦な部位（例えば、圧潰封止部等）に形成すれば、位置決め部による位置決めをより適切に行うことができる。
【００１２】
本発明では、前記発光管は、前記封止部の端部から当該封止部外に延出するリード線を有し、前記取付部材は、前記リード線と電気的に接続される接続部を有し、前記補助光源は、当該補助光源の端部から外部に延出する電極線を有し、前記一対の突起は、前記補助光源の端部から離間した位置に配置されていることが好ましい。
【００１３】
本発明によれば、取付部材は、接続部にてリード線と電気的に接続され、当該リード線に電圧が印加されることで、補助光源の外部電極として機能する。このため、位置決め部は、外部電極の一部となるが、当該位置決め部が間に挿入される一対の突起は、電極線が延出する補助光源の端部から離間した位置に配置される。これによれば、当該電極線と位置決め部とを十分に離間させることができるので、これら電極線及び位置決め部の間で放電が生じることを防止することができる。従って、発光管及び補助光源の点灯を適切に行うことができる。
【００１４】
本発明では、前記取付部材は、前記位置決め部により位置決めされた前記補助光源を当該位置決め部に向かって付勢する付勢部を有することが好ましい。
【００１５】
本発明によれば、付勢部により、補助光源を位置決め部側に付勢することができるので、当該位置決め部を一対の突起間に確実に位置付けることができる。これによれば、当該各突起の間から位置決め部が離間して、補助光源の位置が不安定になることを防ぐことができる。従って、補助光源を安定して保持することができる。
【００１６】
本発明では、前記取付部材は、前記保持部及び前記遮蔽部を有し、前記首状部に取り付けられる第１取付部材と、前記保持部により保持された前記補助光源を囲む保護部を有し、前記第１取付部材に着脱自在に設けられる第２取付部材とを備え、前記補助光源は、前記第１取付部材と前記第２取付部材との間に配置され、前記第１取付部材は、前記補助光源から出射され、前記発光管に入射される光が透過する開口部を有することが好ましい。
【００１７】
本発明によれば、補助光源は、第１取付部材と第２取付部材との間に配置され、当該第２取付部材は、第１取付部材に対して着脱自在に設けられる。これによれば、首状部に固定された第１取付部材から第２取付部材を取り外すことができ、当該第１取付部材から補助光源を容易に取り外すことができる。従って、当該補助光源の交換を容易に行うことができる。
また、第１取付部材を首状部に取り付ける際に、補助光源から出射され、封止部の端面に入射される光が透過する開口部を介して、当該開口部内、すなわち、光の光路内に塵埃や、第１取付部材を固定する接着剤等が侵入しているか否かを確認することができる。従って、補助光源からの光を適切に封止部に入射させるように、当該補助光源を保持する取付部材を確実に首状部に取り付けることができる。
更に、第１取付部材の首状部への取付は、当該第１取付部材が補助光源を保持していない状態で行うこともできる。従って、補助光源を保持した取付部材を首状部に取り付ける場合に比べ、当該取付部材の取付等の作業性を向上することができる。
【００１８】
本発明では、前記取付部材と前記首状部との間には、当該取付部材を前記首状部に固定する接着剤が設けられ、前記取付部材は、前記接着剤に挿入される凸部を有することが好ましい。
【００１９】
本発明によれば、凸部が接着剤に挿入されることで、凸部がない場合に比べ、首状部からの取付部材の脱落を防止することができる。従って、取付部材を安定して首状部に取り付けることができ、補助光源からの光を安定して発光管に照射することができる。
【００２０】
また、本発明のプロジェクターは、前述の光源装置と、当該光源装置から出射された光束を変調する光変調装置と、変調された前記光束を投射する投射光学装置とを備えることを特徴とする。
本発明によれば、前述の光源装置と同様の効果を奏することができる。また、これにより、光源装置の点灯始動性が向上するので、光源装置の点灯を適切に行うことができ、ひいては、プロジェクターの利便性を向上することができる。
【図面の簡単な説明】
【００２１】
【図１】本発明の第１実施形態に係るプロジェクターの構成を示す模式図。
【図２】前記実施形態における光源装置の光源ランプ及び主反射鏡を示す縦断面図。
【図３】前記実施形態における補助光源及び取付部材を示す斜視図。
【図４】前記実施形態における補助光源を示す斜視図。
【図５】前記実施形態における補助光源を示す側面図。
【図６】前記実施形態における取付部材を示す斜視図。
【図７】前記実施形態における取付部材を示す斜視図。
【図８】前記実施形態における保持部により保持された補助光源を示す斜視図。
【図９】前記実施形態における接着剤塗布後の光源装置を示す斜視図。
【図１０】前記実施形態における首状部に取り付けられた取付部材を示す斜視図。
【図１１】前記実施形態におけるリード線を係止した状態の光源装置を示す斜視図。
【図１２】前記実施形態におけるリード線を係止した状態の光源装置を示す斜視図。
【図１３】前記実施形態における封止部と補助光源との位置関係を示す斜視図。
【図１４】本発明の第２実施形態に係るプロジェクターが備える光源装置を示す斜視図。
【図１５】前記実施形態における第１取付部材を示す斜視図。
【図１６】前記実施形態における第１取付部材を示す斜視図。
【図１７】前記実施形態における第２取付部材を示す斜視図。
【図１８】前記実施形態における第２取付部材を示す斜視図。
【図１９】前記実施形態における首状部への取付後の第１取付部材を示す斜視図。
【図２０】前記実施形態における首状部への取付後の第１取付部材を示す図。
【図２１】前記実施形態における補助光源を位置決めした第１取付部材を示す斜視図。
【図２２】前記実施形態における補助光源を位置決めした第１取付部材を示す図。
【図２３】本発明の第３実施形態に係るプロジェクターが備える補助光源を示す斜視図。
【図２４】前記実施形態における補助光源を示す側面図。
【発明を実施するための形態】
【００２２】
〔１．第１実施形態〕
以下、本発明の第１実施形態を図面に基づいて説明する。
図１は、本実施形態に係るプロジェクター１の構成を示す模式図である。
本実施形態に係るプロジェクター１は、内部に設けられた光源装置４１１から出射された光束を変調して、画像情報に応じた画像光を形成し、当該画像光をスクリーン等の投射面上に拡大投射するものである。このプロジェクター１は、図１に示すように、外装筐体２、投射光学装置３及び画像形成装置４を備える。
また、プロジェクター１は、図示を省略するが、当該プロジェクター１内部を冷却する冷却ファン等で構成される冷却装置、プロジェクター１内部の各構成部材に電力を供給する電源装置、及び、プロジェクター１全体を制御する制御装置等を備え、これら各装置は、外装筐体２内に配置されている。
【００２３】
〔外装筐体及び投射光学装置の構成〕
外装筐体２は、合成樹脂又は金属により全体略直方体状に形成された筐体であり、前述の各装置３，４等を内部に収納配置する。
投射光学装置３は、後述する画像形成装置４にて形成された画像光を投射面上に結像させるとともに、当該画像光を拡大投射する。この投射光学装置３は、図示を省略するが、筒状の鏡筒内に複数のレンズが収納された組レンズとして構成されている。
【００２４】
〔画像形成装置の構成〕
画像形成装置４は、前述の制御装置による制御の下、画像情報に応じた画像光を形成する光学装置である。この画像形成装置４は、照明光学装置４１、色分離光学装置４２、リレー光学装置４３及び電気光学装置４４と、これらを内部に設定された照明光軸Ａ上の所定位置に収納配置するほか、投射光学装置３を支持する光学部品用筐体４５とを備える。
【００２５】
照明光学装置４１は、光源装置４１１、一対のレンズアレイ４１２，４１３、偏光変換素子４１４及び重畳レンズ４１５を備える。
色分離光学装置４２は、ダイクロイックミラー４２１，４２２及び反射ミラー４２３を備え、リレー光学装置４３は、入射側レンズ４３１、リレーレンズ４３３及び反射ミラー４３２，４３４を備える。
電気光学装置４４は、フィールドレンズ４４１と、光変調装置としての３つの液晶パネル４４２（赤色光用、緑色光用及び青色光用の液晶パネルを、それぞれ４４２Ｒ，４４２Ｇ，４４２Ｂとする）と、それぞれ３つの入射側偏光板４４３、視野角補償板４４４及び出射側偏光板４４５と、色合成光学装置としてのクロスダイクロイックプリズム４４６とを備える。
【００２６】
このような画像形成装置４では、照明光学装置４１により照明領域内の照度が略均一化された光束が出射され、当該光束は、色分離光学装置４２により、赤（Ｒ），緑（Ｇ），青（Ｂ）の３つの色光に分離される。これら分離された各色光は、各液晶パネル４４２にて画像情報に応じてそれぞれ変調され、色光毎の画像光が形成される。そして、当該色光毎の画像光は、クロスダイクロイックプリズム４４６にて合成され、投射光学装置３により投射面上に拡大投射される。
【００２７】
〔光源装置の構成〕
図２は、光源装置４１１の光源ランプ５及び主反射鏡６を示す縦断面図である。
光源装置４１１は、図１に示すように、光を出射する光源ランプ５と、当該光源ランプ５から出射された光を反射して、所定位置に収束させる主反射鏡６と、当該主反射鏡６により収束される光束を照明光軸Ａに対して平行化する平行化凹レンズ７とを備える。
このうち、光源ランプ５は、電圧印加によって発光する光源であり、図２に示すように、石英ガラスにより形成された発光管５１と、当該発光管５１に取り付けられる副反射鏡５２及びトリガー線５３とを備える。なお、このような発光管５１としては、高輝度発光する種々の放電光源ランプを採用することができ、例えば、メタルハライドランプ、高圧水銀ランプ及び超高圧水銀ランプ等を採用することができる。
【００２８】
〔発光管の構成〕
発光管５１は、当該発光管５１の中央部分に形成され、かつ、略球状に膨出する発光部５１１と、発光部５１１を挟み、かつ、当該発光部５１１の両端から互いに離間する方向に延出する一対の封止部５１２，５１３（図２における左側の封止部を５１２、右側の封止部を５１３とする）とを備えている。
このうち、発光部５１１の内部には、一対の電極Ｅ（封止部５１２側の電極をＥ１とし、封止部５１３側の電極をＥ２とする）が配置され、当該一対の電極Ｅ間には、水銀、希ガス及び少量のハロゲンを含む発光物質が封入された放電空間Ｓが形成されている。
【００２９】
一対の封止部５１２，５１３の内部には、電極Ｅ１，Ｅ２にそれぞれ電気的に接続されるモリブデン製の金属箔５１２１，５１３１が挿入され、当該一対の封止部５１２，５１３における発光部５１１とは反対側の端部は、ガラス材料等で封止されている。これら各金属箔５１２１，５１３１には、さらにリード線５１４，５１５がそれぞれ接続され、当該リード線５１４，５１５は、発光管５１の外部まで延出している。そして、これらリード線５１４，５１５に電圧が印加されると、金属箔５１２１，５１３１を介して電極Ｅ１，Ｅ２間に電位差が生じて放電が発生し、アーク像Ｄが形成されて発光部５１１内部が発光する。
【００３０】
〔主反射鏡６の構成〕
ここで、主反射鏡６について説明する。
主反射鏡６は、本発明の反射鏡に相当し、発光部５１１から入射される光を反射させて、照明光軸Ａ上の第２焦点に収束させるガラス製の一体成形品である。この主反射鏡６は、封止部５１２にセメント等の接着剤Ｂにより固定されている。このような主反射鏡６には、封止部５１２に沿って延出する略円筒状の首状部６１と、当該首状部６１から拡がる凹曲面状の反射部６２とが形成されている。
このうち、反射部６２において発光部５１１に対向する回転曲線形状の面には、金属薄膜が蒸着された反射面６２１が形成されている。
【００３１】
首状部６１は、封止部５１２が挿通される略円形状の挿通孔６１１を有する。この挿通孔６１１内に封止部５１２が挿通された状態で、当該挿通孔６１１の端縁と封止部５１２との間に接着剤Ｂが注入され、これにより、封止部５１２と主反射鏡６とが固定される。この際、発光管５１と主反射鏡６との位置は、発光部５１１におけるアーク像Ｄ（電極Ｅの先端間での放電によって生じるアーク像Ｄ）の中心位置Ｃが、当該主反射鏡６の反射面６２１の第１焦点近傍となるように設定される。
なお、本実施形態では、主反射鏡６は、回転楕円面を有する楕円面リフレクターで構成されているが、回転放物面を有する放物面リフレクターで構成してもよい。この場合には、平行化凹レンズ７を省略した構成とする。さらに、主反射鏡６は、自由曲面リフレクターで構成してもよい。
【００３２】
〔副反射鏡５２の構成〕
副反射鏡５２は、発光管５１の封止部５１３に装着されるガラス製の成形品であり、発光部５１１における封止部５１３側を覆うように発光管５１に設けられる。この副反射鏡５２は、封止部５１３に沿って延出する略円筒状の首状部５２１と、当該首状部５２１における封止部５１２側の端部から拡がる反射部５２２とを備える。
首状部５２１は、封止部５１３が挿通される開口５２１１を有する。
反射部５２２は、発光部５１１に沿う略椀状に形成され、当該反射部５２２における発光部５１１と対向する側には、可視光を反射し、かつ、赤外線及び紫外線を透過する反射面５２２１が形成されている。
【００３３】
このような反射面５２２１により、発光部５１１から出射された光のうち、主反射鏡６側とは反対側に出射された光は、反射されて反射面６２１に入射される。このため、当該光は、発光部５１１から反射面６２１に直接入射される光と同様に、当該反射面６２１にて反射され、第２焦点に集束する。これにより、光源装置４１１の光路後段に位置する第１レンズアレイ４１２に入射しない光の発生を抑えることができる。
【００３４】
〔トリガー線５３の構成〕
トリガー線５３は、発光管５１の点灯始動性を向上するための始動補助線であり、一端が封止部５１２にコイル状に巻回され、中央が発光部５１１、副反射鏡５２及び封止部５１３に沿ってこれらの外側に配置され、他端が接続部５１６を介してリード線５１５に接続される。この接続部５１６には、主反射鏡６の外部に延出するリード線５１７の一端が接続される。また、リード線５１７の他端は、接続部材５４を介して、電圧印加用の端子（図示省略）に接続される。このようなトリガー線５３に高電圧を印加することにより、発光管５１の点灯始動性を向上することができる。
【００３５】
図３は、主反射鏡６に取り付けられる補助光源８及び取付部材９をＺ方向基端側から見た斜視図である。なお、以下の図にて示すＺ方向は、主反射鏡６により反射される主光線の進行方向を示し、Ｘ方向及びＹ方向は、互いに直交し、かつ、それぞれＺ方向に対して直交する方向を示し、例えば、Ｚ方向が水平方向に沿う方向である場合、Ｘ方向はＺ方向の基端側から見て左方向を示し、Ｙ方向は、高さ方向（鉛直方向とは反対方向）を示す。
光源装置４１１は、上述した光源ランプ５、主反射鏡６及び平行化凹レンズ７のほか、図３に示すように、封止部５１２に光を照射する補助光源８と、当該補助光源８を保持した状態で首状部６１に取り付けられる取付部材９とを備える。
【００３６】
〔補助光源の構成〕
図４及び図５は、補助光源８を示す斜視図及び側面図である。
補助光源８は、電極Ｅ間の絶縁破壊時に、当該各電極Ｅに印加される電圧により発光し、封止部５１２を介して発光部５１１に光（所定波長の光であり、例えば、紫外領域を含む短波長の光）を照射することにより、発光管５１の点灯始動性を向上させるものである。この補助光源８は、所定電圧以上で点灯するため、光源装置４１１の点灯時においては、当該補助光源８は、高圧パルスが印加される絶縁破壊時にのみ発光する。
【００３７】
この補助光源８は、図４及び図５に示すように、略棒状形状に形成されている。そして、補助光源８は、一方の端部に位置する補助光源発光部８１と、略中央部分から他端にかけて位置する圧潰封止部８２と、当該他端から外部に延出する電極線８３とを有する。なお、電極線８３は、前述のリード線５１７とともに接続部材５４（図３）に接続される。
補助光源発光部８１は、略円筒状に形成されている。この補助光源発光部８１の内部には、補助光源電極８１１と、発光物質となる不活性ガスとが封入された放電空間が形成されている。
【００３８】
圧潰封止部８２は、補助光源発光部８１内に前述の不活性ガス等を封止するための部位であり、略扁平角柱形状を有する。この圧潰封止部８２の内部には、電極８１１の一端と、電極線８３の一端とを接続する金属箔８２１が封入されている。
また、圧潰封止部８２において、略平坦かつ幅広に形成された両面８２Ａ，８２Ｂのうち、一方の面８２Ａには、面外方向に突出する一対の突起８２２が形成されている。これら突起８２２は、当該圧潰封止部８２における電極線８３が延出する側の端部から離間した部位に形成されている。詳述すると、突起８２２の位置は、補助光源発光部８１と圧潰封止部８２とを合わせた形状の略中央である。
【００３９】
また、当該各突起８２２から補助光源発光部８１寄りの位置で、かつ、当該面８２Ａの幅方向略中央には、突起８２３が形成されている。これら突起８２２と突起８２３との間には、補助光源８を取付部材９に取り付ける際に、後述する位置決め部９１２１（図６及び図７）が挿入され、これにより、補助光源８の位置決めがなされる。更に、面８２Ａにおいて、突起８２２を挟んで突起８２３とは反対側には、突起８２４が形成されている。
また、面８２Ｂにおいて、突起８２３に対応する位置には、図５に示すように、当該突起８２３と略同形状を有する突起８２５が形成されている。
このような補助光源８は、金属箔８２１を介して電極線８３に接続される電極８１１と、リード線５１４に電気的に接触して外部電極となる取付部材９との間で生じるバリア放電により発光する。
【００４０】
〔取付部材の構成〕
図６及び図７は、取付部材９をそれぞれ反対方向から見た斜視図である。換言すると、図６及び図７は、取付部材９をＺ方向基端側及び先端側から見た斜視図である。
取付部材９は、板金を折曲加工することにより形成され、首状部６１のＺ方向基端部に取り付けられる。この取付部材９は、補助光源８を保持するほか、リード線５１４と電気的に接続され、前述のように、補助光源８の外部電極として機能する。この取付部材９は、図６及び図７に示すように、補助光源８を保持する保持部９１と、当該補助光源８を囲む第１遮蔽部９２と、当該保持部９１及び第１遮蔽部９２の一端から延出し、首状部６１にセメント等の接着剤Ｆにより固定される第２遮蔽部９３とを有する。
【００４１】
〔保持部の構成〕
保持部９１は、取付部材９におけるＹ方向先端に位置し、補助光源８を保持する。この保持部９１は、Ｚ方向基端側に位置する側部９１１と、当該側部９１１におけるＸ方向両端からＺ方向先端側に向かって延出する延出部９１２，９１３とを有する。そして、保持部９１においては、Ｚ方向先端側から各延出部９１２，９１３間に挿入された補助光源８を、当該各延出部９１２，９１３が位置決め及び保持する。
【００４２】
図８は、保持部９１により挟持された補助光源８を示す斜視図である。
延出部９１２のＹ方向先端部には、延出部９１３に向かって（Ｘ方向先端側に向かって）延出する位置決め部９１２１が形成されている。この位置決め部９１２１は、図８に示すように、突起８２２，８２３間に挿入され、補助光源８を位置決めする。
この位置決め部９１２１は、保持部９１が補助光源８を保持した際に、電極線８３に最も近い部位に位置するが、当該位置決め部９１２１は、圧潰封止部８２における電極線８３から離間し、補助光源発光部８１に近接する位置に配置される。このため、外部電極の一部となる位置決め部９１２１と、電極線８３との沿面距離を長くすることができる。従って、当該位置決め部９１２１と電極線８３との間で放電が生じることを防ぐことができる。
【００４３】
また、延出部９１３は、延出部９１２に向かって傾斜した後、当該延出部９１２に沿って延出した形状を有する。この延出部９１３のＺ方向先端側の端部は、後述する側部９２４におけるＺ方向先端側の端部と略同じ位置まで延出している。このような延出部９１３は、突起８２５に当接し、補助光源８を延出部９１２に近接する方向に付勢する。すなわち、延出部９１３は、本発明の付勢部に相当する。
【００４４】
〔第１遮蔽部の構成〕
第１遮蔽部９２は、保持部９１により保持された補助光源８を囲んで当該補助光源８の揺動を規制するとともに、当該補助光源８を保護する。また、第１遮蔽部９２は、補助光源８の光がＺ方向基端側、並びに、Ｘ方向基端側及び先端側に漏出することを防止するほか、封止部５１２からＺ方向基端側に出射され、補助光源８を透過した光を遮蔽する。
この第１遮蔽部９２は、図６及び図７に示すように、Ｘ−Ｙ平面に沿う側部９２１，９２２と、Ｙ−Ｚ平面に沿う側部９２３，９２４とを有し、全体略筒型状を有する。
【００４５】
Ｚ方向基端側に位置する側部９２１の略中央には、図６に示すように、係止部９２１１が形成されている。この係止部９２１１は、後述する開口部９３１を介してＺ方向基端側に露出したリード線５１４を係止し、当該リード線５１４と電気的に接触する。このため、リード線５１４を流れる電流は取付部材９に導通し、当該取付部材９は、補助光源８の外部電極となる。すなわち、係止部９２１１は、本発明の接続部に相当する。
【００４６】
Ｚ方向先端側に位置する側部９２２は、図７に示すように、Ｙ方向基端側に位置している。このため、第１遮蔽部９２におけるＺ方向先端側には、側部９２２〜９２４により端縁が形成される開口部９２５が形成される。この開口部９２５は、取付部材９が首状部６１に取り付けられた際に、封止部５１２の端面５１２Ａ（発光部５１１とは反対側の端面であり、照明光軸Ａに略直交する端面５１２Ａ）に対応して配置される。そして、補助光源８の補助光源発光部８１から出射された光は、当該開口部９２５を介して、端面５１２Ａに照射される。
【００４７】
Ｘ方向先端側に位置する側部９２４は、図７に示すように、対向する側部９２３に比べてＺ方向先端側に延出している。この側部９２４は、首状部６１に取付部材９を取り付ける際に、接着剤Ｆ（Ｘ方向先端側の領域に塗布された接着剤Ｆ２）に接触して当該取付部材９を安定化するほか、開口部９２５を介して封止部５１２に入射される光の光路を確保する。
【００４８】
〔第２遮蔽部の構成〕
第２遮蔽部９３は、接着剤Ｆ（Ｘ方向基端側の領域に塗布された接着剤Ｆ１）により首状部６１に取り付けられる部位であり、また、第１遮蔽部９２とともに、封止部５１２からＺ方向基端側に漏れる光を遮蔽する。すなわち、第１遮蔽部９２及び第２遮蔽部９３は、本発明の遮蔽部に相当する。
この第２遮蔽部９３は、図６及び図７に示すように、延出部９１２及び側部９２３のＺ方向先端側の端部からＸ方向基端側に延出するように形成され、当該第２遮蔽部９３は、保持部９１と第１遮蔽部９２とを接続する。このような第２遮蔽部９３は、開口部９３１、凸部９３２〜９３４及び一対の係止部９３５を有する。
【００４９】
開口部９３１は、側部９２３に跨るように、取付部材９の略中央に形成されている。この開口部９３１の内径は、封止部５１２から延出するリード線５１４の直径と略一致し、開口部９３１には、当該リード線５１４が挿通して、第２遮蔽部９３のＺ方向基端側に露出する。このように、開口部９３１が取付部材９の略中央に形成されていることにより、封止部５１２の端面５１２ＡにおけるＸ方向基端側の略半分の領域が第２遮蔽部９３により覆われ、当該領域からの光の漏れが防止される。なお、当該端面５１２Ａにおける反対側の領域（Ｘ方向先端側の略半分の領域）は、第１遮蔽部９２により覆われる。
【００５０】
凸部９３２〜９３４は、それぞれ第２遮蔽部９３の端縁からＺ方向先端側に突出するように形成されている。これら凸部９３２〜９３４は、それぞれ接着剤Ｆ１に挿入され、接着剤Ｆ１からの取付部材９の脱落を防止する。
一対の係止部９３５は、第２遮蔽部９３におけるＸ方向基端側の端縁に、Ｚ方向基端側に向かって突出するようにそれぞれ形成されている。これら係止部９３５は、開口部９３１を挿通したリード線５１４を挟持して、当該リード線５１４を係止する。これら係止部９３５が、当該リード線５１４と電気的に接続されることにより、前述の係止部９２１１によりリード線５１４が係止される場合と同様に、取付部材９は、補助光源８の外部電極として機能する。すなわち、係止部９３５は、本発明の接続部に相当する。
【００５１】
〔首状部への取付部材の取付〕
以下、取付部材９の首状部６１への取付について説明する。
図９は、首状部６１に接着剤Ｆが塗布された後の主反射鏡６をＺ方向基端側から見た斜視図である。なお、この状態では、首状部６１への封止部５１２の固定は終了している。
取付部材９を取り付ける際には、図９に示すように、封止部５１２の固定が完了した首状部６１のＺ方向基端側の端面に接着剤Ｆ（Ｆ１，Ｆ２）を塗布する。この際、当該端面において、封止部５１２を避けるとともに、Ｘ方向基端側の略半分、及び、Ｘ方向先端側の端部近傍に、接着剤Ｆ１，Ｆ２をそれぞれ塗布する。このため、当該端面には、Ｙ方向に沿って接着剤Ｆが塗布されていない領域Ｔが形成される。
【００５２】
図１０は、首状部６１に取り付けられた取付部材９をＺ方向基端側から見た斜視図である。
この後、図１０に示すように、補助光源８が取り付けられた取付部材９を首状部６１に取り付ける。具体的に、リード線５１４を開口部９３１に挿通させた後、領域Ｔに開口部９２５が対応するように（換言すると、Ｚ方向基端側から見て補助光源発光部８１が封止部５１２と重なるように）、接着剤Ｆに取付部材９をＺ方向基端側から先端側に向かって取り付ける。この際、各凸部９３２〜９３４は接着剤Ｆ１に挿入される。
【００５３】
図１１は、リード線５１４を係止部９２１１により係止した状態の光源装置４１１を示す斜視図であり、図１２は、当該リード線５１４を係止部９３５により係止した状態の光源装置４１１を示す斜視図である。
そして、図１１及び図１２に示すように、リード線５１４を係止部９２１１又は係止部９３５により係止し、図３において示したように、補助光源８の電極線８３を、接続部材５４に接続することにより、取付部材９及び補助光源８の主反射鏡６に対する取り付けが完了する。
【００５４】
図１３は、発光管５１（特に封止部５１２）及び主反射鏡６と、当該主反射鏡６に取り付けられた取付部材９に保持された補助光源８との位置関係を示す図である。なお、図１３においては、取付部材９の図示を省略している。
補助光源８が保持部９１により保持され（位置決め部９１２１により位置決めされ）、当該補助光源８が取付部材９により首状部６１に取り付けられた状態では、図１３に示すように、補助光源発光部８１は、端面５１２Ａに応じた位置に配置される。
詳述すると、この状態では、補助光源発光部８１内の電極８１１の先端部８１１Ａは、Ｚ方向基端側から見て、端面５１２Ａの領域内に配置される。これにより、当該先端部８１１Ａにて生じた光は、封止部５１２内に適切に入射され、当該封止部５１２により導光されて発光部５１１内に入射される。そして、当該発光部５１１における光電子放出及び放電物質のイオン化が促進され、発光管５１の点灯始動性が向上される。
【００５５】
また、端面５１２ＡにおけるＸ方向基端側の略半分の領域は、前述のように、第２遮蔽部９３により覆われ、Ｘ方向先端側の略半分の領域は補助光源８及び第１遮蔽部９２により覆われる。これによれば、当該端面５１２ＡからＺ方向基端側に出射される光を遮蔽することができ、光源装置４１１からＺ方向基端側に漏れる光の発生を防止できる。
【００５６】
以上説明した本実施形態のプロジェクター１によれば、以下の効果がある。
補助光源８から出射された光は、封止部５１２の端面５１２Ａに入射され、当該封止部５１２内を進行して、発光部５１１内に入射される。これによれば、当該光を確実に発光部５１１内に入射させることができる。従って、発光部５１１における光電子放出及び放電物質のイオン化を促進することができ、発光管５１の点灯始動性を向上できる。
また、第１遮蔽部９２及び第２遮蔽部９３により、封止部５１２の端部である端面５１２Ａが覆われるので、当該端面５１２ＡからＺ方向基端側に出射される光を遮蔽することができる。従って、端面５１２Ａから当該方向に出射された光が光源装置４１１の外部に漏出することを防ぐことができる。
【００５７】
圧潰封止部８２に突設された突起８２２，８２３間に、位置決め部９１２１が挿入されることで、補助光源８を適切な位置（Ｚ方向基端側から見て、先端部８１１Ａが端面５１２Ａ内に配置される位置）に位置決めすることができる。従って、先端部８１１Ａでの放電にて生じた光を、端面５１２Ａに確実に入射させることができ、ひいては、当該光を発光部５１１に確実に入射させることができる。
また、各突起８２２，８２３は、圧潰封止部８２の形成時に同時に形成することができるので、補助光源８の製造工程及び構成を簡略化することができる。
更に、圧潰封止部８２は、略平坦に形成されるので、各突起８２２，８２３間に位置決め部９１２１を適切かつ簡易に挿入することができるほか、当該位置決め部９１２１による位置決めを確実に行うことができる。
【００５８】
取付部材９は、係止部９２１１又は係止部９３５にて、リード線５１４と電気的に接続され、補助光源８の外部電極として機能する。一方、当該外部電極の一部となる位置決め部９１２１が間に挿入される突起８２２，８２３は、補助光源８の略中央に形成されており、電極線８３から離間している。これによれば、位置決め部９１２１と電極線８３とを十分に離間させることができるので、これら位置決め部９１２１と電極線８３との間で放電が生じることを防止できる。従って、補助光源８及び発光管５１の点灯を適切に行うことができる。
【００５９】
位置決め部９１２１とは反対側に設けられた延出部９１３により、補助光源８は位置決め部９１２１側に付勢される。これによれば、位置決め部９１２１を突起８２２，８２３間に確実に位置付けることができるので、補助光源８の位置が不安定になることを防止できる。従って、補助光源８を安定して保持することができる。
【００６０】
取付部材９を首状部６１に取り付ける際には、当該首状部６１に塗布された接着剤Ｆ（Ｆ１）に凸部９３２〜９３４が挿入される。これによれば、当該凸部がない場合に比べ、首状部６１からの取付部材９の脱落を防止することができる。従って、取付部材９を安定して首状部６１に取り付けることができ、ひいては、補助光源８からの光を安定して端面５１２Ａに入射させることができる。
【００６１】
〔２．第２実施形態〕
次に、本発明の第２実施形態に係るプロジェクターについて説明する。
本実施形態のプロジェクターは、前述のプロジェクター１と同様の構成を有するが、補助光源８を保持し、かつ、首状部６１に取り付けられる取付部材の構成が、前述の取付部材９と異なる。この点で、本実施形態のプロジェクターとプロジェクター１とは相違する。なお、以下の説明では、既に説明した部分と同一または略同一である部分については、同一の符号を付して説明を省略する。
【００６２】
図１４は、本実施形態に係る光源装置４１１ＡをＺ方向基端側から見た斜視図である。
本実施形態に係るプロジェクターは、光源装置４１１に代えて光源装置４１１Ａを備えるほかは、プロジェクター１と同様の構成を備える。また、光源装置４１１Ａは、取付部材９に代えて、取付部材９Ａを備えるほかは、光源装置４１１と同様の構成を備える。
取付部材９Ａは、前述の取付部材９と同様に、端面５１２ＡにおけるＸ方向先端側の略半分を覆う位置に補助光源発光部８１が位置するように補助光源８を保持する。また、取付部材９Ａは、端面５１２Ａを覆い、Ｚ方向基端側に漏れる光を遮蔽する。このような取付部材９Ａは、図１４に示すように、第１取付部材９４及び第２取付部材９５により構成される。
【００６３】
〔第１取付部材の構成〕
図１５及び図１６は、第１取付部材９４をそれぞれＺ方向基端側及び先端側から見た斜視図である。
第１取付部材９４は、板金を折曲加工することにより構成されており、首状部６１に塗布された接着剤Ｆにより当該首状部６１に固定される。この第１取付部材９４は、図１５及び図１６に示すように、保持部９４１、開口部９４２，９４３、遮蔽部９４４、導光部９４５、凸部９４６及び取付部９４７を有する。
【００６４】
保持部９４１は、第１取付部材９４におけるＹ方向先端側の端部からＺ方向基端側に延出する一対の延出部９４１１，９４１２により形成されており、これら延出部９４１１，９４１２により、Ｚ方向基端側から挿入された補助光源８を挟んで保持する。これら一対の延出部９４１１，９４１２のうち、一方（本実施形態では延出部９４１１）は、補助光源８の突起８２２と突起８２３との間に配置され、補助光源８を位置決めする。すなわち、延出部９４１１，９４１２の一方は、本発明の位置決め部に相当する。
【００６５】
これら延出部９４１１，９４１２の位置は、取付部材９Ａにおいて、補助光源８の電極線８３に最も近い位置となる。しかしながら、当該各延出部９４１１，９４１２は、圧潰封止部８２における補助光源発光部８１に近接する側に位置することとなり、電極線８３から十分に離間する。このため、外部電極の一部となる各延出部９４１１，９４１２と、電極線８３との沿面距離を長くすることができ、当該各延出部９４１１，９４１２と電極線８３との間で放電が生じることを防止できる。
【００６６】
開口部９４２は、第１取付部材９４の略中央に形成され、当該開口部９４２には、リード線５１４が挿通される。
開口部９４３は、開口部９４２の近傍で、かつ、当該開口部９４２のＸ方向先端側に形成されている。この開口部９４３は、保持部９４１により保持された補助光源８の発光部８１に対応する位置に形成されており、当該発光部８１から放射された光を、封止部５１２に照射するための窓である。また、この開口部９４３は、第１取付部材９４を首状部６１に取り付ける際に、当該光の光路上に接着剤Ｆが侵入していないかどうかを確認するための窓としても機能する。
【００６７】
遮蔽部９４４は、開口部９４２近傍に位置し、封止部５１２からＺ方向基端側に漏れる光を遮蔽する。なお、開口部９４３を介してＺ方向基端側に漏れた光は、後述する第２取付部材９５の遮蔽部９５３により遮蔽される。
導光部９４５は、第１取付部材９４におけるＸ方向先端側の端部からＺ方向先端側に延出するように形成されている。この導光部９４５は、接着剤Ｆ２に当接して固定されるほか、開口部９４３を介して封止部５１２に照射される補助光源発光部８１からの光の光路を確保する。
【００６８】
凸部９４６は、第１取付部材９４におけるＸ方向基端側の端部に、Ｚ方向先端側に延出するように形成されている。この凸部９４６は、接着剤Ｆ１に挿入され、当該接着剤Ｆ１からの第１取付部材９４の脱落を防止する。
取付部９４７は、第１取付部材９４におけるＹ方向基端側の端部に形成されており、当該取付部９４７は、第２取付部材９５が取り付けられる部位である。この取付部９４７は、Ｚ方向基端側に向かって延出する延出部９４７１と、当該延出部９４７１の端部からＹ方向先端側に向かって延出する延出部９４７２とを有する略Ｌ字状に形成されている。そして、当該延出部９４７２には、略円形状の孔部９４７３が形成され、当該孔部９４７３には、第２取付部材９５を取り付けるねじＳｃが取り付けられる。
【００６９】
〔第２取付部材の構成〕
図１７及び図１８は、第２取付部材９５をＺ方向基端側及び先端側からそれぞれ見た斜視図である。
第２取付部材９５は、第１取付部材９４にねじＳｃにより着脱自在に設けられ、位置決めされた補助光源８を囲んで保護するほか、当該補助光源８及び封止部５１２からＺ方向基端側に出射される光を遮蔽する。この第２取付部材９５は、図１７及び図１８に示すように、保護部９５１、開口部９５２、遮蔽部９５３、係止部９５４，９５５、孔部９５６及び遮蔽部９５７を有する。
【００７０】
保護部９５１は、第１取付部材９４とともに補助光源８を囲み、当該補助光源８を保護する。この保護部９５１は、第２取付部材９５におけるＸ方向先端側に位置しており、当該保護部９５１は、Ｙ−Ｚ平面に沿って互いに対向する一対の壁部９５１１，９５１２を有する。これら壁部９５１１，９５１２は、第２取付部材９５が第１取付部材９４に取り付けられた際に、保持された補助光源８の発光部８１をＸ方向先端側及び基端側から挟み、当該補助光源８の揺動を規制する。このような保護部９５１は、発光部８１からＸ方向先端側及び基端側、並びに、Ｚ方向基端側に放射された光を遮蔽する機能も具備する。
【００７１】
開口部９５２は、第２取付部材９５の略中央に形成されており、当該開口部９５２の形成位置は、第１取付部材９４の開口部９４２の位置に対応している。この開口部９５２には、リード線５１４が挿通される。
遮蔽部９５３は、開口部９５２近傍に形成され、当該遮蔽部９５３は、開口部９４３及び補助光源８を介して入射される封止部５１２からの光を遮蔽する。
係止部９５４，９５５は、開口部９５２を挿通してＺ方向基端側に露出したリード線５１４を係止する。このうち、係止部９５４は、開口部９５２近傍で、かつ、当該開口部９５２のＸ方向先端側に配置される。また、係止部９５５は、第２取付部材９５におけるＸ方向基端側の端部に、Ｚ方向基端側に延出するように一対形成されている。これら係止部９５４，９５５は、リード線５１４を係止する際に、当該リード線５１４と電気的に接続される。このため、第２取付部材９５及び第１取付部材９４からなる取付部材９Ａは、補助光源８の外部電極となる。すなわち、係止部９５４，９５５は、本発明の接続部に相当する。
【００７２】
孔部９５６は、第２取付部材９５におけるＸ方向基端側の端部近傍に形成されている。この孔部９５６には、前述のねじＳｃが挿通する。
遮蔽部９５７は、第２取付部材９５におけるＸ方向基端側の端部にＺ方向先端側に延出して形成されており、壁部９５１２よりＹ方向先端側に位置している。この遮蔽部９５７は、補助光源発光部８１からＸ方向基端側に放射される光のうち、当該壁部９５１１により遮蔽されなかった光を遮蔽する。
【００７３】
〔首状部への取付部材の取付〕
以下、取付部材９Ａの首状部６１への取付について説明する。
図１９は、首状部６１に取り付けられた第１取付部材９４を示す斜視図である。また、図２０は、当該第１取付部材９４をＺ方向基端側から見た図である。
取付部材９Ａを首状部６１に取り付ける際には、前述のように、まず、封止部５１２が固定された首状部６１のＺ方向基端側の端部に、接着剤Ｆ（Ｆ１，Ｆ２）を塗布する。
そして、図１９及び図２０に示すように、開口部９４２にリード線５１４を挿通した後、開口部９４３が端面５１２Ａに応じた位置となるようにして、第１取付部材９４を接着剤ＦにＺ方向基端側から先端側に向かって押圧する。この際、開口部９４３を介して、当該開口部９４３内に接着剤Ｆが侵入していないかどうか、すなわち、当該開口部９４３を介して封止部５１２に照射される補助光源８の光の光路が接着剤Ｆにより遮られていないかどうかを確認することができる。
【００７４】
図２１は、補助光源８を位置決めした状態の第１取付部材９４を示す斜視図である。また、図２２は、当該第１取付部材９４をＺ方向基端側から見た図である。
次に、図２１及び図２２に示すように、第１取付部材９４に補助光源８を取り付ける。この際、保持部９４１を構成する一方の延出部（本実施形態では延出部９４１１）が突起８２２と突起８２３との間に位置するように、各延出部９４１１，９４１２間に、Ｚ方向基端側から先端側に向かって補助光源８を挿入する。これにより、開口部９４３に応じた位置に補助光源発光部８１が配置され、当該発光部８１内の電極８１１の先端部８１１Ａが、Ｚ方向基端側から見て、端面５１２Ａ内に位置するように、補助光源８が位置決め及び保持される。
【００７５】
この後、図１４に示したように、開口部９５２にリード線５１４を挿通させるようにして、第２取付部材９５を第１取付部材９４にねじＳｃにより取り付ける。これにより、補助光源発光部８１のＸ方向先端側及び基端側、並びに、Ｚ方向基端側が第２取付部材９５により覆われて、補助光源８の揺動が規制される。そして、リード線５１４を係止部９５５により係止し、更に、電極線８３を接続部材５４に接続することにより、取付部材９Ａ及び補助光源８の首状部６１への取り付けが完了する。なお、リード線５１４を係止部９５４により係止することも可能である。
【００７６】
以上説明した本実施形態のプロジェクターによれば、前述のプロジェクター１と同様の効果を奏することができるほか、以下の効果がある。
補助光源８は、第１取付部材９４への第２取付部材９５の装着方向（Ｚ方向）に沿って保持部９４１に取り付けられることで、第１取付部材９４と第２取付部材９５との間に配置され、当該第２取付部材９５は、第１取付部材９４に対してねじＳｃにより着脱自在に設けられる。これによれば、首状部６１に固定された第１取付部材９４から第２取付部材９５を取り外すことができ、補助光源８を容易に取り外すことができる。従って、当該補助光源８の交換を容易に行うことができる。
【００７７】
第１取付部材９４を首状部６１に取り付ける際に、補助光源８から出射されて端面５１２Ａに入射される光が透過する開口部９４３を介して、開口部９４３内に塵埃や接着剤Ｆが侵入しているか否かを確認することができる。従って、補助光源８からの光を適切かつ確実に端面５１２Ａに入射させることができる。
補助光源８の第１取付部材９４への取付は、当該第１取付部材９４が首状部６１に固定された後に行われる。これによれば、補助光源８を保持した状態で取付部材９Ａを首状部６１に取り付ける場合に比べ、当該取付部材９Ａ（第１取付部材９４）の取付等の作業性を向上できる。
【００７８】
〔３．第３実施形態〕
以下、本発明の第３実施形態について説明する。
本実施形態に係るプロジェクターは、前述のプロジェクター１と同様の構成を備えるが、補助光源８とは異なる構成の補助光源が採用されている点で、当該プロジェクター１と相違する。なお、以下の説明では、既に説明した部分と同一または略同一である部分については、同一の符号を付して説明を省略する。
【００７９】
図２３及び図２４は、本実施形態に係るプロジェクターが備える補助光源を示す斜視図及び側面図である。
本実施形態のプロジェクターは、補助光源８に代えて、補助光源８Ａを備えるほかは、プロジェクター１と同様の構成を備える。
補助光源８Ａは、補助光源８と同様の機能を有するものであり、発光管５１（特に封止部５１２）に前述の光を出射して、当該発光管５１の点灯始動性を向上させる。この補助光源８Ａは、図２３及び図２４に示すように、補助光源発光部８１、圧潰封止部８４、円筒部８５及び電極線８３を有する。
このうち、円筒部８５は、補助光源８Ａにおける補助光源発光部８１とは反対側の端部に形成されており、内部を電極線８３が挿通する。
【００８０】
圧潰封止部８４は、前述の圧潰封止部８２と同様に、補助光源発光部８１内に前述の発光物質等を封止するための部位であり、略扁平角柱形状を有する。この圧潰封止部８４は、補助光源発光部８１及び円筒部８５に挟まれるように、補助光源８Ａにおける略中央に形成されている。この圧潰封止部８４内には、電極８１１の端部と、電極線８３の端部とを接続する金属箔８２１が封入されている。
この圧潰封止部８４において、略平坦かつ幅広に形成された両面８４Ａ，８４Ｂのうち、一方の面８４Ａには、円筒部８５側に突起８４１が形成され、補助光源発光部８１側に突起８４２が形成されている。また、他方の面８４Ｂには、円筒部８５側に突起８４３が形成され、補助光源発光部８１側に突起８４４が形成されている。
【００８１】
そして、補助光源８Ａが前述の取付部材９により保持される際には、突起８４１，８４２間、又は、突起８４３，８４４間に位置決め部９１２１が挿入される。これにより、補助光源８Ａの位置決めがされる。なお、位置決め部９１２１が突起８４１，８４２間に挿入される場合には、延出部９１３は、突起８４４に当接して、補助光源８Ａを延出部９１２側に付勢する。また、当該位置決め部９１２１が突起８４３，８４４間に挿入される場合には、延出部９１３は、突起８４２に当接して、補助光源８Ａを延出部９１２側に付勢する。
【００８２】
一方、補助光源８Ａが前述の取付部材９Ａにより保持される際には、突起８４１，８４２間に延出部９４１１，９４１２の一方が挿入され、突起８４３，８４４間に他方が挿入される。これにより、補助光源８Ａの位置決めがされる。
このような補助光源８Ａを備えるプロジェクターによっても、前述のプロジェクターと同様の効果を奏することができる。
【００８３】
〔４．実施形態の変形〕
本発明は前述の実施形態に限定されるものではなく、本発明の目的を達成できる範囲での変形、改良等は本発明に含まれるものである。
前記第１実施形態では、第１遮蔽部９２及び第２遮蔽部材９３が、端面５１２ＡのＸ方向先端側及び基端側をそれぞれ覆い、当該端面５１２ＡからＺ方向基端側に出射される光を遮蔽するとし、また、前記第２実施形態では、遮蔽部９４４が、開口部９４３に応じた領域を除く端面５１２Ａを覆うとしたが、本発明はこれに限らない。すなわち、端面５１２Ａの少なくとも一部を覆う遮蔽部が設けられていればよい。また、保持部により保持された補助光源からの光を発光管に入射させることが可能であれば、補助光源の位置（発光部の位置）は、封止部の端面に応じた位置に限らず、また、保持部の位置も適宜設定可能である。
【００８４】
前記第１及び第２実施形態では、補助光源８の一対の突起８２２は、当該補助光源８の軸方向に直交する方向に離間して形成されていたが、本発明はこれに限らない。すなわち、補助光源８Ａの突起８４１と同様に、当該突起８２２に対応する位置に、１つの突起が形成されている構成としてもよい。
【００８５】
前記第１及び第２実施形態では、位置決め部９１２１及び延出部９４１１，９４１２が間に挿入される突起８２２，８２３は、圧潰封止部８２に突設されるとし、また、前記第３実施形態では、同様の突起８４１，８４２及び突起８４３，８４４は、圧潰封止部８４に突設されるとしたが、本発明はこれに限らない。すなわち、外部電極となる取付部材９，９Ａと電極線８３との間で放電が生じない程度に、これら位置決め部９１２１及び延出部９４１１，９４１２と十分に離間させることができれば、補助光源の位置決めに供される突起の位置は、適宜変更可能である。
【００８６】
前記各実施形態では、補助光源８，８Ａは、取付部材９，９Ａを外部電極として利用するとしたが、本発明はこれに限らない。すなわち、発光部内に一対の電極及び発光物質が封入され、当該各電極にそれぞれ接続される２本以上の電極線が延出する補助光源を採用してもよい。
【００８７】
前記第１実施形態では、取付部材９は、位置決め部９１２１に対向するように、補助光源８を挟んで位置決め部９１２１とは反対側に付勢部となる延出部９１３を有するとしたが、本発明はこれに限らない。すなわち、付勢部となる部位は、位置決め部９１２１に対向していなくてもよく、また、位置決め部９１２１により位置決めされた補助光源を適切に保持することができれば、当該部位は無くてもよい。
【００８８】
前記第２実施形態では、第２取付部材９５は、補助光源８を囲む保護部９５１を有するとしたが、本発明はこれに限らない。すなわち、保持部９４１又は他の構成により、補助光源８を安定して保持することができれば、保護部は設けなくてもよい。また、第１取付部材９４への補助光源８の装着方向も、当該第１取付部材９４への第２取付部材９５の装着方向と同方向である必要はなく、保持部の構成に応じて、適宜設定可能である。また、取付部材９Ａに、延出部９１３のような付勢部として機能する部位を設けてもよい。例えば、延出部９４１１，９４１２のうち、一方を位置決め部として構成し、他方を付勢部として構成してもよい。
前記第１実施形態では、取付部材９は、接着剤Ｆに挿入される凸部９３２〜９３４を有し、前記第２実施形態では、第１取付部材９４は、同様に接着剤Ｆに挿入される凸部９４６を有するとしたが、本発明はこれに限らない。すなわち、取付部材を安定して首状部６１に取り付けることができれば、これら凸部はなくてもよい。また、当該凸部の形成位置も、前述の構成に限定されず、適宜設定してよい。
【００８９】
前記各実施形態では、プロジェクターは、３つの液晶パネル４４２（４４２Ｒ，４４２Ｇ，４４２Ｂ）を備えるとしたが、本発明はこれに限らない。すなわち、２つ以下、あるいは、４つ以上の液晶パネルを用いたプロジェクターにも、本発明を適用可能である。
また、前記各実施形態では、画像形成装置４は平面視略Ｌ字形状を有した構成を説明したが、これに限らず、例えば、平面視略Ｕ字形状を有した構成を採用してもよい。
さらに、前記各実施形態では、光束入射面と光束出射面とが異なる透過型の液晶パネル４４２を用いていたが、光入射面と光出射面とが同一となる反射型の液晶パネルを用いてもよい。
【００９０】
前記各実施形態では、光変調装置として液晶パネル４４２を備えたプロジェクターを例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクターにも、本発明を適用することも可能である。このような光変調装置を用いた場合、光束入射側及び光束出射側の偏光板４４３，４４５は省略することができる。
【００９１】
前記実施形態では、画像表示装置として、スクリーンに対する画像光の投射方向と、当該画像光に係る画像の観察方向とが略同じであるフロントタイプのプロジェクターを例示したが、本発明はこれに限らない。例えば、投射方向と観察方向とがそれぞれ反対方向となるリアタイプのプロジェクターにも適用できる。
【００９２】
前記各実施形態では、光源装置４１１，４１１Ａを、プロジェクターに採用した例を挙げたが、本発明はこれに限らない。すなわち、このような光源装置４１１，４１１Ａは、スタンド等の照明装置に利用することも可能である。
【産業上の利用可能性】
【００９３】
本発明は、光源装置に利用でき、特にプロジェクターに採用される光源装置に好適に利用することができる。
【符号の説明】
【００９４】
１…プロジェクター、３…投射光学装置、６…主反射鏡（反射鏡）、８，８Ａ…補助光源、９，９Ａ…取付部材、５１…発光管、６１…首状部、８１…補助光源発光部、８３…電極線、９１，９４１…保持部、９２…第１遮蔽部（遮蔽部）、９３…第２遮蔽部（遮蔽部）、９４…第１取付部材、９５…第２取付部材、４１１，４１１Ａ…光源装置、４４２（４４２Ｒ，４４２Ｇ，４４２Ｂ）…液晶パネル（光変調装置）、５１１…発光部、５１２…封止部、５１４…リード線、８２２，８２３，８４１〜８４４…突起、９１３…延出部（付勢部）、９３２〜９３４…凸部、９３５，９５４，９５５，９２１１…係止部（接続部）、９４６…凸部、９４３…開口部、９４４…遮蔽部、９１２１…位置決め部、９４１１，９４１２…延出部（位置決め部）、Ｆ（Ｆ１，Ｆ２）…接着剤。
【図１】
2010287417.tif 000003
【図２】
2010287417.tif 000004
【図３】
2010287417.tif 000005
【図４】
2010287417.tif 000006
【図５】
2010287417.tif 000007
【図６】
2010287417.tif 000008
【図７】
2010287417.tif 000009
【図８】
2010287417.tif 000010
【図９】
2010287417.tif 000011
【図１０】
2010287417.tif 000012
【図１１】
2010287417.tif 000013
【図１２】
2010287417.tif 000014
【図１３】
2010287417.tif 000015
【図１４】
2010287417.tif 000016
【図１５】
2010287417.tif 000017
【図１６】
2010287417.tif 000018
【図１７】
2010287417.tif 000019
【図１８】
2010287417.tif 000020
【図１９】
2010287417.tif 000021
【図２０】
2010287417.tif 000022
【図２１】
2010287417.tif 000023
【図２２】
2010287417.tif 000024
【図２３】
2010287417.tif 000025
【図２４】
2010287417.tif 000026